(57)【要約】【課題】細長平板状器具に固着した固着物を容易に除去することができるようにする。【解決手段】細長平板状器具の固着物除去装置１０は、多数のワイヤー先端が露出して外周面が構成されたブラシ部１４を有するワイヤーブラシ１１と、ワイヤーブラシ１１を、ブラシ部１４が周方向に回転するように回転駆動する回転駆動部１２と、ブラシ部１４の外周面から所定間隔をおいた外側に、刃先がブラシ部１４の外周面側を向くと共に刃先の延びる方向がブラシ部１４の外周面の接線方向に対して角度をなすように設けられた固定刃３２と、を備える。【選択図】図１
2008188046.tif 000002
【特許請求の範囲】
【請求項１】
多数のワイヤー先端が露出した外周面が構成されたブラシ部を有するワイヤーブラシと、
上記ワイヤーブラシを、上記ブラシ部が周方向に回転するように回転駆動する回転駆動部と、
上記ブラシ部の外周面から所定間隔をおいた外側に、刃先が該ブラシ部の外周面側を向くと共に刃先の延びる方向が該ブラシ部の外周面の接線方向に対して角度をなすように設けられた固定刃と、
を備えたことを特徴とする細長平板状器具の固着物除去装置。
【請求項２】
請求項１に記載された固着物除去装置において、
上記ワイヤーブラシは、その回転軸方向が水平方向となるように設けられていると共に、
上記固定刃は、上記ブラシ部の上側に設けられていることを特徴とする固着物除去装置。
【請求項３】
請求項２に記載された固着物除去装置において、
上記固定刃は、その刃先の延びる方向が上記ブラシ部の外周面の接線方向に対して垂直な方向となるように設けられていることを特徴とする固着物除去装置。
【請求項４】
請求項３に記載された固着物除去装置において、
上記固定刃は、上記ワイヤーブラシの最上部に対応する位置から前後方向にずれ且つ刃先が該ワイヤーブラシの最上部以上の位置に位置付けられて設けられていることを特徴とする固着物除去装置。
【請求項５】
請求項２乃至４のいずれかに記載された固着物除去装置において、
上記ワイヤーブラシの少なくとも下半分を収容するように設けられたダストボックスをさらに備えたことを特徴とする固着物除去装置。
【請求項６】
請求項５に記載された固着物除去装置において、
細長いブラシ露出開口部が形成され、該ブラシ露出開口部から上記ブラシ部の少なくとも器具当接部分が露出すると共に上記ダストボックスの開口を封じるように設けられた天板をさらに備えたことを特徴とする固着物除去装置。
【請求項７】
請求項１乃至６のいずれかに記載された固着物除去装置において、
上記細長平板状器具が歯科医療器具であり、上記固着物が歯科医療用のセメントであることを特徴とする固着物除去装置。
【請求項８】
両面に固着物が固着した細長平板状器具の一方の面を、回転するワイヤーブラシのブラシ部の多数のワイヤー先端が露出した外周面に当接させると共に、
上記細長平板状器具の他方の面を、上記一方の面の上記ワイヤーブラシへの当接部を支点として、上記ブラシ部の外周面から所定間隔をおいた外側に、刃先が該ブラシ部の外周面側を向くと共に刃先の延びる方向が該ブラシ部の外周面の接線方向に対して角度をなすように設けられた固定刃に押し付けるように当接させ、
上記細長平板状器具を、上記一方の面を上記ワイヤーブラシに及び上記他方の面を上記固定刃にそれぞれ当接させた状態で、その長さ方向に変位させることを特徴とする細長平板状器具の固着物除去方法。
【請求項９】
請求項８に記載された固着物除去方法において、
上記細長平板状器具を、上記ワイヤーブラシと上記固定刃との間に、上記ブラシ部の回転方向に沿うように差し入れた後、上記一方の面を該ワイヤーブラシに及び上記他方の面を該固定刃にそれぞれ当接させた状態で、手前側に引き抜くことを特徴とする固着物除去方法。
【請求項１０】
請求項８又は９に記載された固着物除去方法において、
上記細長平板状器具が歯科医療器具であり、上記固着物が歯科医療用のセメントであることを特徴とする固着物除去方法。
【発明の詳細な説明】
【技術分野】
【０００１】
本発明は、歯科医療器具等の細長平板状器具の固着物除去装置及びそれを用いた固着物除去方法に関する。
【背景技術】
【０００２】
歯科医療では、虫歯を削った後にインレーを装着する場合、その接着剤としてセメントが用いられる。このセメントは、治療の直前に金属へら状の歯科医療器具を用いて練り合わされて調整される。ところが、セメントは速硬性を有することから、セメントの調整に用いた歯科医療器具にはセメントの硬化物が強固に固着することとなる。
【０００３】
固着物を除去する方法として、例えば、特許文献１には、板状の溶断品の両面に固着したスパッタ、ノロ等の固着物を除去する装置であって、溶断品をその板面に平行に強制的に搬送する搬送手段と、溶断品が搬送される搬送路を挟んで溶断品の板面両側に摺動する位置に配設された回転駆動されるスパイラルカッタ及び回転駆動される円筒状ワイヤブラシとを備えたものが開示されている。
【０００４】
特許文献２には、テープ支持枠表面に貼着されたＵＶテープを剥離した際に残留したＵＶテープの粘着剤等からなる付着凸起を、ホットナイフ等の加熱手段で加熱分解させ、その後、温水中等でブラシ洗浄することが開示されている。
【０００５】
特許文献３には、刃物の刃角が５０〜７０°、仰角が１０〜２０°、逃げ角が１０〜２０°の範囲であり、刃物の刃先部分がＲ３〜２０μｍの丸味処理されている、もしくは幅５〜３０μｍの鈍化処理されているスクラッチカード剥離装置が開示されている。
【特許文献１】特開昭６３−３９７４７号公報
【特許文献２】特開平９−１８６１１４号公報
【特許文献３】特開２００６−１１５８号公報
【発明の開示】
【発明が解決しようとする課題】
【０００６】
本発明は、細長平板状器具に固着した固着物を容易に除去することができるようにすることを目的とする。
【課題を解決するための手段】
【０００７】
上記の目的を達成する本発明に係る細長平板状器具の固着物除去装置は、
多数のワイヤー先端が露出した外周面が構成されたブラシ部を有するワイヤーブラシと
上記ワイヤーブラシを、上記ブラシ部が周方向に回転するように回転駆動する回転駆動部と、
上記ブラシ部の外周面から所定間隔をおいた外側に、刃先が該ブラシ部の外周面側を向くと共に刃先の延びる方向が該ブラシ部の外周面の接線方向に対して角度をなすように設けられた固定刃と、
を備えたことを特徴とする。
【０００８】
上記の構成によれば、両面に固着物が固着した細長平板状器具の一方の面を回転するワイヤーブラシのブラシ部の外周面に当接させると共に、他方の面を一方の面のワイヤーブラシへの当接部を支点として固定刃に押し付けるように当接させ、そして、細長平板状器具を、その状態で長さ方向に変位させるといった簡単な操作によって、細長平板状器具の両面に固着した固着物をワイヤーブラシ及び固定刃で容易に掻き取って除去することができる。
【０００９】
本発明は、上記ワイヤーブラシが、回転軸方向が水平方向となるように設けられていると共に、上記固定刃が、上記ブラシ部の上側に設けられているものであってもよい。
【００１０】
本発明は、上記固定刃が、その刃先の延びる方向が上記ブラシ部の外周面の接線方向に対して垂直な方向となるように設けられているものであってもよい。
【００１１】
本発明は、上記固定刃が、上記ワイヤーブラシの最上部に対応する位置から前後方向にずれ且つ刃先が該ワイヤーブラシの最上部以上の位置に位置付けられて設けられているものであってもよい。
【００１２】
以上のような構成によれば、細長平板状器具の固着物の除去作業の作業性が非常に良好となる。
【００１３】
本発明は、上記ワイヤーブラシの少なくとも下半分を収容するように設けられたダストボックスをさらに備えたものであってもよい。
【００１４】
上記の構成によれば、ワイヤーブラシや固定刃で除去された固着物をダストボックスに集めることができる。
【００１５】
本発明は、細長いブラシ露出開口部が形成され、該ブラシ露出開口部から上記ブラシ部の少なくとも器具当接部分が露出すると共に上記ダストボックスの開口を封じるように設けられた天板をさらに備えたものであってもよい。
【００１６】
上記の構成によれば、ダストボックスから集められた固着物が周辺に散乱するのを防止することができると共に、回転するブラシ部の必要最小限を外部に露出させることにより作業安全を図ることができる。
【００１７】
本発明に係る細長平板状器具の固着物除去方法は、
両面に固着物が固着した細長平板状器具の一方の面を、回転するワイヤーブラシのブラシ部の多数のワイヤー先端が露出した外周面に当接させると共に、
上記細長平板状器具の他方の面を、上記一方の面の上記ワイヤーブラシへの当接部を支点として、上記ブラシ部の外周面から所定間隔をおいた外側に、刃先が該ブラシ部の外周面側を向くと共に刃先の延びる方向が該ブラシ部の外周面の接線方向に対して角度をなすように設けられた固定刃に押し付けるように当接させ、
上記細長平板状器具を、上記一方の面を上記ワイヤーブラシに及び上記他方の面を上記固定刃にそれぞれ当接させた状態で、その長さ方向に変位させることを特徴とする。
【００１８】
この場合、上記細長平板状器具を、上記ワイヤーブラシと上記固定刃との間に、上記ブラシ部の回転方向に沿うように差し入れた後、上記一方の面を該ワイヤーブラシに及び上記他方の面を該固定刃にそれぞれ当接させた状態で、手前側に引き抜くようにしてもよい。
【００１９】
本発明における細長平板状器具は、特に限定されるものではないが、典型的には歯科医療器具が挙げられ、その場合、固着物として歯科医療用のセメントが挙げられる。
【発明の効果】
【００２０】
本発明によれば、簡単な操作によって、細長平板状器具の両面に固着した固着物をワイヤーブラシ及び固定刃で容易に掻き取って除去することができる。
【発明を実施するための最良の形態】
【００２１】
以下、実施形態を図面に基づいて詳細に説明する。
【００２２】
（固着物除去装置）
図１及び２は、本発明の実施形態に係る固着物除去装置１０を示す。なお、図の手前側及び奥側をそれぞれ固着物除去装置１０の前側及び後側とする。
【００２３】
この固着物除去装置１０は、歯科医療用のセメントを調整するときに用いられる金属製の歯科医療器具（細長平板状器具）に固着したセメント（固着物）を除去するのに使用されるものである。
【００２４】
この固着物除去装置１０は、ワイヤーブラシ１１とそれを回転駆動する回転駆動部１２とを備えている。
【００２５】
ワイヤーブラシ１１は、中心部の軸取付部１３と外周部のブラシ部１４とを有する。
【００２６】
軸取付部１３は、円盤状のブラシ基部１３ａとその一方側に同軸で突出して一体に設けられた軸挿通部１３ｂとで構成されている。
【００２７】
ブラシ部１４は、各々、ブラシ基部１３ａに設けられた多数のワイヤーによりドーナツ盤状に形成され、外周面にそれらの多数のワイヤー先端が露出した構成となっている。ブラシ部１４は、例えば、外径が３０〜７０ｍｍ、厚さが５〜２０ｍｍに形成されている。各ワイヤーは、材質が例えば黄銅線、鋼線、樹脂線等で、太さが例えば０．１〜０．５ｍｍに形成されている。
【００２８】
回転駆動部１２は、電動機１５とそれに取り付けられたギヤーボックス１６とで構成されている。
【００２９】
電動機１５は、円筒状の本体の中心軸位置から一方側に駆動軸が突出した構成となっている。電動機１５は、図示しない制御部に接続されている。電動機１５の最大出力は例えば１０〜３０Ｗである。
【００３０】
ギヤーボックス１６は、薄厚の直方体ボックス状の外形を有し、電動機１５の駆動軸突出側に設けられていると共に、一方側の面から電動機１５の駆動軸が差し入れられている。ギヤーボックス１６は、内部にギヤーによる変速機構を備えており、電動機１５の駆動軸の回転を減速して出力する出力軸１７が他方側の面の上部から突出して設けられている。ギヤーボックス１６は、他方側の面の上部の両側のそれぞれに天板止めネジ１８が突出して設けられている。ギヤーボックス１６の変速比は例えば２：１〜５：１である。
【００３１】
ワイヤーブラシ１１は、軸取付部１３の軸挿通部１３ｂに、ギヤーボックス１６の出力軸１７を挿通して固定することにより回転駆動部１２に取り付けられている。ワイヤーブラシ１１は、その上部が前側から後側に向かって回転するように構成されている。これらのワイヤーブラシ１１及び回転駆動部１２は、回転軸方向が水平方向となるように設けられ、作業台等の上に載置可能に構成されている。
【００３２】
この固着物除去装置１０は、上方に開口したダストボックス１９とその開口を封じるように設けられた天板２０とを備えている。
【００３３】
ダストボックス１９は、金属やプラスチック等により直方体ボックス状に形成されている。ダストボックス１９は、一方の横側の側面部にＵ字欠損部２１が形成され、そのＵ字欠損部２１に軸挿通部１３ｂが位置付けられてワイヤーブラシ１１が設けられている。ダストボックス１９は、ワイヤーブラシ１１の下半分以上が収容されると共にその残部分が開口から上方に突出するように形成されている。ダストボックス１９は、前側及び後側の側面部のそれぞれの上部の他方の横側の側面部側にＤＢ止めタップ２２が形成されている。
【００３４】
天板２０は、ダストボックス１９の開口部よりもやや大きい矩形の天板本体２３を有すると共に、その回転駆動部１２側の側端、並びに、前側及び後側の側端に連続して垂下した細幅の垂下側面部２４を有する。天板２０は、回転駆動部１２側の側端に対応した垂下側面部２４の両側のそれぞれに天板止め穴２５が形成されている。天板２０は、その天板止め穴２５にギヤーボックス１６の天板止めネジ１８が締め込まれて回転駆動部１２に取り付けられている。また、天板２０は、前側及び後側の側端のそれぞれに対応した垂下側面部２４にダストボックス１９のＤＢ止めタップ２２と重なるようにＤＢ止め穴２６が形成されている。天板２０は、そのＤＢ止めタップ２２及びダストボックス１９のＤＢ止め穴２６の両方にＤＢ止めネジ２７が締め込まれてダストボックス１９に取り付けられている。
【００３５】
天板本体２３には、ワイヤーブラシ１１の位置に対応して前後方向に延びる細長いブラシ露出開口部２８が形成されている。ブラシ露出開口部２８からはワイヤーブラシ１１のブラシ部１４の弓形状の部分が突出して露出している。
【００３６】
天板本体２３には、ブラシ露出開口部２８の後端部分を跨ぐように固定刃ホルダー２９が設けられている。天板本体２３のブラシ露出開口部２８の後端部分における回転駆動部１２側の側方には一対のネジ挿通穴３０が形成されている。また、固定刃ホルダー２９の底にはそれに対応するように一対のホルダー止めネジ穴が形成されている。固定刃ホルダー２９は、天板本体２３の裏側からネジ挿通孔に通されたホルダー止めネジ３１がホルダー止めネジ穴に締め込まれて天板本体２３に取り付けられている。
【００３７】
図３（ａ）及び（ｂ）は固定刃ホルダー２９及び固定刃３２を示す。
【００３８】
固定刃ホルダー２９は、ブラシ露出開口部２８を跨いだ部分に下向きにコの字状に開口したコの字欠損部３３が形成されている。固定刃ホルダー２９の前側の面には、コの字欠損部３３の周縁に沿って固定刃嵌込溝３４が形成されていると共に、コの字欠損部３３の両側に刃固定用ネジ穴３５が設けられている。固定刃３２は、刃先の傾斜面がワイヤーブラシ１１側になるように固定刃嵌込溝３４に嵌め込まれると共に、刃固定用ネジ穴３５に締め込まれた固定ネジ３６のネジ頭との間に挟まれて固定刃ホルダー２９に取り付けられている。これにより、固定刃３２は、その刃先の延びる方向がブラシ部１４の外周面の接線方向に対して垂直な方向となるように設けられていると共に、ワイヤーブラシ１１の上側であって、ワイヤーブラシ１１の最上部に対応する位置から前後方向にずれ、しかも、刃先がワイヤーブラシ１１の最上部以上の位置に位置付けられて設けられた構成となっている。このような構成によれば、後述の歯科医療器具のセメントの除去作業の作業性が良好となる。固定刃３２のワイヤーブラシ１１の最上部に対応する位置からの前後方向のずれ量は例えば５〜２０ｍｍである。また、固定刃３２とワイヤーブラシ１１の外周面までのクリアランスは例えば１〜５ｍｍである。
【００３９】
本実施形態では、電動機１５の減速をギヤーボックス１６によって行う構成としたが、特にこれに限定されるものではなく、図４（ａ）〜（ｃ）に示すようなベルト式変速機３７による構成であってもよい。このベルト式変速機３７は、駆動軸１５ａを突出させて取付フレーム３８に電動機１５を取り付けると共に駆動軸１５ａに小プーリ３９を挿通固定し、大プーリ４０を挿通固定した出力軸１７を軸受部４１を介して取付フレーム３８に回転自在に取り付け、小プーリ３９と大プーリ４０との間にベルト４２を巻き掛けた構成のものである。
【００４０】
また、本実施形態では、ギヤーボックス１６によって電動機１５の減速を行う構成としたが、特にこれに限定されるものではなく、電動機１５でワイヤーブラシ１１をダイレクトドライブするものであってもよい。
【００４１】
また、本実施形態では、回転軸方向が水平方向となるようにワイヤーブラシ１１が設けられた構成としたが、特にこれに限定されるものではなく、回転軸方向が上下方向となるようにワイヤーブラシ１１が設けられた構成であってもよい。
【００４２】
また、本実施形態では  固定刃３２がブラシ部１４の上側に設けられた構成としたが、特にこれに限定されるものではなく、下側や前側や後側に設けられた構成であってもよい。
【００４３】
また、本実施形態では、刃先の延びる方向がブラシ部１４の外周面の接線方向に対して垂直な方向となるように固定刃３２が設けられた構成としたが、特にこれに限定されるものではなく、刃先の延びる方向がブラシ部１４の外周面の接線方向に対して傾斜した方向となるように固定刃３２が設けられた構成であってもよい。
【００４４】
また、本実施形態では、固定刃３２がワイヤーブラシ１１の最上部に対応する位置から前後方向にずれた構成としたが、特にこれに限定されるものではなく、固定刃３２がワイヤーブラシ１１の最上部に対応する位置に設けられた構成であってもよい。
【００４５】
また、本実施形態では、ドーナツ盤状のブラシ部１４としたが、特にこれに限定されるものではなく、円筒ドラム状のものであってもよい。
【００４６】
（固着物除去方法）
次に、この固着物除去装置１０を用いた歯科医療器具に固着したセメントの除去方法について説明する。
【００４７】
虫歯を削った後にインレーを装着する場合等には、接着剤として用いるセメントを治療の直前に金属製のへら状の歯科医療器具を用いて練り合わせる。このセメントは速硬性を有するため、歯科医療器具にはセメントの硬化物が強固に固着することとなる。なお、セメントとしては、例えば樹脂系セメントやりん酸亜鉛セメント等が挙げられる。
【００４８】
まず、制御部のスイッチをオンにして電動機１５を稼働させることにより駆動軸を回転させる。このとき、駆動軸の回転はギヤーボックス１６で減速されて出力軸１７の回転として出力される。そして、ワイヤーブラシ１１は、ブラシ露出開口部２８から突出した部分が前側から後側に向かって回転する。ワイヤーブラシ１１の回転数は例えば２００〜１５００ｒｐｍである。
【００４９】
そして、図５に示すように、セメントが付着した歯科医療器具を、固定刃３２とワイヤーブラシ１１との間に差し入れた後、歯科医療器具の下側の面を、回転するワイヤーブラシ１１のブラシ部１４の多数のワイヤー先端が露出した外周面に当接させると共に、上側の面を、下側の面のワイヤーブラシ１１への当接部を支点として固定刃３２に押し付けるように当接させ、下側をワイヤーブラシ１１に及び上側の面を固定刃３２にそれぞれ当接させた状態で、手前側に引き抜く。このとき、歯科医療器具の下側の面に固着したセメントがワイヤーによって掻き取られ、上側の面に固着したセメントは固定刃３２で掻き取られることとなる。また、ダストボックス１９が設けられているので、掻き取られたセメントはワイヤーブラシ１１に付着して運ばれて、また、固定刃３２から落ちてブラシ露出開口部２８と通ってそのダストボックス１９に集められることとなる。さらに、天板２０が設けられているので、ダストボックス１９から集められた固着物が周辺に散乱するのが防止されると共に、回転するブラシ部１４の必要最小限が外部に露出することにより作業安全が図られることとなる。
【００５０】
この後、上下面を反対にして同じ動作を繰り返す。
【００５１】
以上のような固着物除去装置１０を用いた歯科医療器具からのセメントの除去方法によれば、簡単な操作によって、歯科医療器具の両面に固着したセメントをワイヤーブラシ１１及び固定刃３２で容易に掻き取って除去することができる。
【００５２】
本実施形態では、歯科医療器具に固着したセメントの除去を対象としたが、特にこれに限定されるものではなく、その他の細長平板状器具の固着物除去であってもよい。
【産業上の利用可能性】
【００５３】
本発明は、歯科医療器具等の細長平板状器具の固着物除去装置及びそれを用いた固着物除去方法について有用である。
【図面の簡単な説明】
【００５４】
【図１】実施形態に係る固着物除去装置の斜視図である。
【図２】実施形態に係る固着物除去装置の分解斜視図である。
【図３】固定刃ホルダー及び固定刃を示す（ａ）正面図及び（ｂ）（ａ）図におけるＢ−Ｂ断面図である。
【図４】ベルト式変速機を示す（ａ）正面図、（ｂ）側面図、及び（ｃ）背面図である。
【図５】実施形態に係るセメント除去方法を示す説明図である。
【符号の説明】
【００５５】
１０  固着物除去装置
１１  ワイヤーブラシ
１２  回転駆動部
１４  ブラシ部
１９  ダストボックス
２０  天板
２８  ブラシ露出開口部
３２  固定刃
【図１】
2008188046.tif 000003
【図２】
2008188046.tif 000004
【図３】
2008188046.tif 000005
【図４】
2008188046.tif 000006
【図５】
2008188046.tif 000007